【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  ホストコンピュータから受信した画像データを複数の色成分の画像データとしてイメージ展開する画像処理手段と、
該画像処理手段により複数の色成分に分割された画像データを記憶する画像メモリ手段と、
１回の現像プロセス時に１色のみ現像するカラープリンタエンジン手段と、
前記画像メモリ手段に記憶された画像データに印字すべき画像データがあるか否かを各色成分毎に検出する検出手段とを有し、
該検出手段にて印字すべき画像データが無いと判断された色成分は、前記カラープリンタエンジン手段にて現像動作及び印刷動作を行わない制御を行うことを特徴とするプリンタ制御装置。
【請求項２】  前記検出手段は、前記画像メモリ手段に記憶された画像データに印字すべき画像データがあるか否かを、各色成分毎に全ての画像データを読込むことにより検出する請求項１記載のプリンタ制御装置。
【請求項３】  ホストコンピュータから受信した画像データを複数の色成分に分割し、１ページの画像データを柵状のバンドに区切ってイメージ展開し、各バンドの中に画像データが存在していない場合には、空白のバンドとして扱う画像処理手段と、
該画像処理手段により複数の色成分に分割された画像データをバンド毎に記憶する画像メモリ手段と、
１回の現像プロセス時に１色のみ現像するカラープリンタエンジン手段と、
前記画像メモリ手段に記憶された画像データに印字すべき画像データがあるか否かを、各色成分毎に空白のバンドを除く全ての画像データを読み込むことにより検出する検出手段とを有し、
該検出手段にて印字すべき画像データが無いと判断された色成分は前記カラープリンタエンジン手段にて現像動作及び印刷動作を行わない制御を行うことを特徴とするプリンタ制御装置。
【請求項４】  ホストコンピュータから受信した画像データを複数の色成分に分割し、圧縮または非圧縮データとしてイメージ展開する画像処理手段と、
該画像処理手段により複数の色成分に分割された画像データを記憶する画像メモリ手段と、
１回の現像プロセス時に１色のみ現像するカラープリンタエンジン手段と、
前記画像メモリ手段に記憶された画像データに印字すべき画像データがあるか否かを、圧縮データの場合には空白を示す圧縮コードと前記画像メモリ手段に記憶された画像データとを比較することにより検出する検出手段とを有し、
該検出手段にて印字すべき画像データが無いと判断された色成分は前記カラープリンタエンジン手段にて現像動作及び印刷動作を行わない制御を行うことを特徴とするプリンタ制御装置。
【請求項５】  ホストコンピュータから受信した画像データを複数の色成分に分割し、１ページの画像データを柵状のバンドに区切って圧縮または非圧縮データとしてイメージ展開し、各バンドの中に画像データが存在していない場合には、空白のバンドとして扱う画像処理手段と、
該画像処理手段により複数の色成分に分割された画像データをバンド毎に記憶する画像メモリ手段と、
１回の現像プロセス時に１色のみ現像するカラープリンタエンジン手段と、
前記画像メモリ手段に記憶された画像データに印字すべき画像データがあるか否かを、各色成分毎に空白のバンドを除く全ての画像データに対し、圧縮データの場合には空白を示す圧縮コードと前記画像メモリ手段に記憶された画像データとを比較することにより検出する検出手段とを有し、
前記検出手段にて印字すべき画像データが無いと判断された色成分は前記カラープリンタエンジン手段にて現像動作及び印刷動作を行わない制御を行うことを特徴とするプリンタ制御装置。
【請求項６】  ホストコンピュータから受信した画像データを複数の色成分の画像データとしてイメージ展開する画像処理手段と、
該画像処理手段により複数の色成分に分割された画像データを記憶する画像メモリ手段と、
１回の現像プロセス時に１色のみ現像するカラープリンタエンジン手段と、
該画像メモリ手段に記憶された画像データに印字すべき画像データがあるか否かを各色成分毎に検出する検出手段とを有し、
該検出手段にて印字すべき画像データが無いと判断された色成分は前記カラープリンタエンジン手段にて現像動作及び印刷動作を行わず、また印刷を行わなかった色成分では、現像回数のカウントも行わない制御を行うことを特徴とするプリンタ制御装置。
【請求項７】  ホストコンピュータから受信した画像データを複数の色成分の画像データとしてイメージ展開する画像処理手段と、
該画像処理手段により複数の色成分に分割された画像データを記憶する画像メモリ手段と、
１回の現像プロセス時に１色のみ現像するカラープリンタエンジン手段と、
前記画像メモリ手段に記憶された画像データに印字すべき画像データがあるか否かを各色成分毎に検出する際に、使用者の指定により検出動作をするか、若しくはしないかを切り替えることが可能な構成とした検出手段とを有し、
該検出手段にて印字すべき画像データが無いと判断された色成分は前記カラープリンタエンジン手段にて現像動作及び印刷動作を行わない制御を行うことを特徴とするプリンタ制御装置。
【請求項８】  ホストコンピュータから受信した画像データを複数の色成分の画像データとしてイメージ展開する画像処理手段と、
該画像処理手段により複数の色成分に分割された画像データを記憶する画像メモリ手段と、
１回の現像プロセス時に１色のみ現像するカラープリンタエンジン手段と、
前記画像メモリ手段に記憶された画像データに印字すべき画像データがあるか否かを、各色成分毎に検出する検出手段とを有し、
該検出手段にて全ての色成分に対して印字すべき画像データが無いと判断された場合には前記カラープリンタエンジン手段にて印刷動作を行わない制御を行うことを特徴とするプリンタ制御装置。
【請求項９】  ホストコンピュータから受信した画像データを複数の色成分の画像データとしてイメージ展開する画像処理手段と、
前記画像処理手段により複数の色成分に分割された画像データを記憶する画像メモリ手段と、
１回の現像プロセス時に１色のみ現像するカラープリンタエンジン手段と、
前記画像メモリ手段に記憶された画像データに印字すべき画像データがあるか否かを各色成分毎に検出する検出手段とを有し、
該検出手段にて全ての色成分に対して印字すべき画像データが無いと判断された場合には、前記カラープリンタエンジン手段にて印刷動作を行わないか、若しくは、そのまま白紙を印刷するかを使用者の指定により切り替えることが可能な構成としたことを特徴とするプリンタ制御装置。
【請求項１０】  前記検出手段は、少なくともＤＭＡコントローラと、割り込みコントローラとを有し、前記メモリ手段に記憶された画像データと、空白を示す圧縮コードとを比較する請求項４記載のプリンタ制御装置。
【請求項１１】  前記検出手段は、印刷すべき画像データが存在したことを検出した場合には、全ての画像データとの比較が終了していない場合でも割り込みを発生する構成とした請求項１０記載のプリンタ制御装置。
【請求項１２】  前記検出手段は、空白を示す圧縮コードを前記画像処理手段にて、任意に書き換えが可能な構成とした請求項１０記載のプリンタ制御装置。
【請求項１３】  前記検出手段は、少なくともＤＭＡコントローラと、割り込みコントローラとを有し、前記メモリ手段に記憶された画像データと、空白を示す圧縮コードとを比較し、ＤＭＡコントローラで次以降のバンドのＤＭＡ処理を行う請求項５記載のプリンタ制御装置。
【請求項１４】  前記検出手段は、各色成分毎に印字すべき画像データがあるか、若しくはないかを検出する際には、あるバンドのイメージ展開が完了した時点で検出動作を行い、同時に次以降のバンドのイメージ展開も行うよう、並行動作させる構成とした請求項５記載のプリンタ制御装置。
【請求項１５】  白紙出力を行う場合には、前記カラープリンタエンジン手段にて単色にて現像動作を行う請求項９記載のプリンタ制御装置。
【手続補正２】
【補正対象書類名】明細書
【補正対象項目名】００２１
【補正方法】変更
【補正の内容】
【００２１】
更に、この検出手段は、印刷すべき画像データが存在したことを検出した場合には、全ての画像データとの比較が終了していない場合でも割り込みを発生する構成とした。よって、画像データがあると判断された場合にはＤＭＡアドレスが最終まで到達していなかったとしても、割り込みを発生する構成とすることにより、冗長な画像データの判断作業を行わなくして、より印刷速度を高速化させることができる。
【手続補正３】
【補正対象書類名】明細書
【補正対象項目名】００４９
【補正方法】変更
【補正の内容】
【００４９】
更に、この検出手段は、印刷すべき画像データが存在したことを検出した場合には、全ての画像データとの比較が終了していない場合でも割り込みを発生する構成とした。よって、画像データがあると判断された場合にはＤＭＡアドレスが最終まで到達していなかったとしても、割り込みを発生する構成とすることにより、冗長な画像データの判断作業を行わなくして、より印刷速度を高速化させることができる。